(57)【要約】【課題】  体毛処理装置側端子を突出させて設けずとも給電時の接触圧を確保することができ、しかも保持装置側端子が体毛処理装置のヘッド部に当たって破損等することを防止した給電システムを提供する。【解決手段】  体毛処理装置側端子２５を側面に有する体毛処理装置３と、上記体毛処理装置３を所定姿勢で保持しながら上記体毛処理装置側端子２５を通じて通電を行う保持装置４とから成る給電システムである。上記保持装置４には、上記体毛処理装置３を所定姿勢で保持させた際に上記体毛処理装置３側に突出して上記体毛処理装置側端子２５に圧接する保持装置側端子２６を設ける。【選択図】        図１
2009261628.tif 000002
【特許請求の範囲】
【請求項１】
体毛処理装置側端子を側面に有する体毛処理装置と、上記体毛処理装置を所定姿勢で保持しながら上記体毛処理装置側端子を通じて通電を行う保持装置と、から成る給電システムにおいて、上記保持装置に、上記体毛処理装置を所定姿勢で保持させた際に上記体毛処理装置側に突出して上記体毛処理装置側端子に圧接する保持装置側端子を設けていることを特徴とする給電システム。
【請求項２】
上記保持装置に、上記体毛処理装置を所定姿勢で保持させることに連動して自動的に上記保持装置側端子を突出させる自動突出手段を設けていることを特徴とする請求項１に記載の給電システム。
【請求項３】
上記自動突出手段は、体毛処理装置が押し当たることで上記保持装置側端子を突出させるように作動する連動機構から成ることを特徴とする請求項２に記載の給電システム。
【請求項４】
上記自動突出手段は、体毛処理装置が所定位置に保持されたことを検知するセンサ部と、体毛処理装置が所定位置に保持されたことをセンサ部が検知すると上記保持装置側端子を突出させるように動作する駆動装置とから成ることを特徴とする請求項２に記載の給電システム。
【発明の詳細な説明】
【技術分野】
【０００１】
本発明は、体毛処理装置を保持しながら給電を行うことのできる給電システムに関する。
【背景技術】
【０００２】
従来から、電気かみそり等の体毛処理装置をヘッド部が下になる所定姿勢で保持し、この所定姿勢にある体毛処理装置に給電をすることができる保持装置が知られている。
【０００３】
特許文献１には、上記のような体毛処理装置と保持装置とから成る給電システムが開示されている。この給電システムでは、給電時における体毛処理装置側端子と保持装置側端子の接触圧を確保するために、保持装置側端子を突出方向に付勢するためのバネ部材を配置している。しかし、上記給電システムでは、保持装置側端子が常にバネ部材により突出された状態にあるため、体毛処理装置を所定姿勢にセットする際や取り外そうとする際に保持装置側端子が邪魔になり、上記保持装置側端子が保持体毛処理装置のヘッド部に当たって破損等するおそれがあるといった問題がある。
【０００４】
また、上記問題を解消するために保持装置側端子を突出させないように設ける場合には、接触圧を確保するために、体毛処理装置の側面から体毛処理装置側端子を突出させた構造にする必要がある。この場合には、使用者が体毛処理装置を把持したときに体毛処理装置側端子が邪魔になって操作性を損なうという問題や、デザイン性が低下するという問題や、汗や油の付着によって体毛処理装置側端子の錆や腐食が進行するという問題や、体毛処理装置側端子が破損するおそれがあるといった問題が生じる。
【特許文献１】特表２００６−５２２６２５号公報
【発明の開示】
【発明が解決しようとする課題】
【０００５】
本発明は上記問題点に鑑みて発明したものであって、体毛処理装置側端子を突出させて設けずとも給電時の接触圧を確保することができ、しかも、体毛処理装置を所定姿勢にセットする際や取り外そうとする際に保持装置側端子が体毛処理装置のヘッド部に当たって破損等するおそれがない給電システムを提供することを課題とするものである。
【課題を解決するための手段】
【０００６】
上記課題を解決するために本発明を、体毛処理装置側端子２５を側面に有する体毛処理装置３と、上記体毛処理装置３を所定姿勢で保持しながら上記体毛処理装置側端子２５を通じて通電を行う保持装置４と、から成る給電システムにおいて、上記保持装置４には、上記体毛処理装置３を所定姿勢で保持させた際に上記体毛処理装置３側に突出して上記体毛処理装置側端子２５に圧接する保持装置側端子２６を設けたものとする。
【０００７】
このようにすることで、体毛処理装置側端子２５を突出させて設けずとも、該体毛処理装置側端子２５に対して保持装置側端子２６を十分な接触圧で接触させることができる。しかも、保持装置側端子２６は体毛処理装置３を所定姿勢でセットしたときだけ突出させるので、保持装置側端子２６が体毛処理装置３のヘッド部１に当たって破損等することが防止される。
【０００８】
上記構成の給電システムにおいて、上記保持装置４には、上記体毛処理装置３を所定姿勢で保持させることに連動して自動的に上記保持装置側端子２６を突出させる自動突出手段４０を設けていることが好適である。このようにすることで、体毛処理装置３をセットする際の手間を減らすことができ、充電操作を簡素化することができる。
【０００９】
また、上記自動突出手段４０は、体毛処理装置３が押し当たることで上記保持装置側端子２６を突出させるように作動する連動機構３５から成ることが好適である。このようにすることで、体毛処理装置３の押し込みを利用して保持装置側端子２６を確実に突出させることができる。
【００１０】
また、上記自動突出手段４０は、体毛処理装置３が所定位置に保持されたことを検知するセンサ部５５と、体毛処理装置３が所定位置に保持されたことをセンサ部５５が検知すると上記保持装置側端子２６を突出させるように動作する駆動装置５６とから成ることも好適である。このようにすることで、使用者に労力を強いることなく確実に保持装置側端子２６を突出させることができる。
【発明の効果】
【００１１】
請求項１に係る発明は、保持装置に、上記体毛処理装置を所定姿勢で保持させた際に上記体毛処理装置側に突出して上記体毛処理装置側端子に圧接する保持装置側端子を設けていることで、体毛処理装置側端子を突出させて設けずとも給電時の接触圧は確保することができ、しかも、体毛処理装置を所定姿勢にセットする際や取り外そうとする際に、保持装置側端子が体毛処理装置のヘッド部に当たって破損等することが防止されるという効果を奏する。
【００１２】
また請求項２に係る発明は、保持装置に、上記体毛処理装置を所定姿勢で保持させることに連動して自動的に上記保持装置側端子を突出させる自動突出手段を設けていることで、請求項１に係る発明の効果に加えて、充電時の使用者の操作を簡素化することができるという効果を奏する。
【００１３】
また請求項３に係る発明は、自動突出手段が、体毛処理装置が押し当たることで上記保持装置側端子を突出させるように作動する連動機構から成ることで、請求項２に係る発明の効果に加えて、体毛処理装置の押し込みを利用して保持装置側端子を確実に突出させることができるという効果を奏する。
【００１４】
また請求項４に係る発明は、自動突出手段が、体毛処理装置が所定位置に保持されたことを検知するセンサ部と、体毛処理装置が所定位置に保持されたことをセンサ部が検知すると上記保持装置側端子を突出させるように動作する駆動装置とから成ることで、請求項２に係る発明の効果に加えて、使用者に労力を強いることなく確実に保持装置側端子２６を突出させることができるという効果を奏する。
【発明を実施するための最良の形態】
【００１５】
以下、本発明を添付図面に示す実施形態に基づいて説明する。図１には、本発明の実施形態における一例の給電システムを概略的に示している。
【００１６】
本例の給電システムは、体毛処理用のヘッド部１および該ヘッド部１を一端側に支持するグリップ部２から成る体毛処理装置３と、この体毛処理装置３をヘッド部１がグリップ部２の下側に位置する所定姿勢で保持しながら給電を行う保持装置４とで形成される。
【００１７】
本例の体毛処理装置３は電気かみそりであり、ヘッド部１には、外刃および該外刃の内面に摺動する内刃から成る刃部１２と、刃部１２の内刃を摺動させるモータ１３とを設けている。また、グリップ部２には、電池部１４と、電池部１４やモータ１３に接続される制御部１５とを設けている。なお、体毛処理装置３は上記構成の電気かみそりに限定されず、体毛の切断処理または脱毛処理を行うヘッド部１を備えたものであれば他の構成であってもよい。
【００１８】
上記保持装置４には皿状の処理槽５を設けており、体毛処理装置３を上記所定姿勢に保持したときに、ヘッド部１が処理槽５内に位置するように設けている。また、保持装置４には、洗浄液を処理槽５内に循環させるための循環ポンプ（図示せず）や、処理槽５内に位置するヘッド部１を乾燥させるための送風を行うファン（図示せず）や、これら循環ポンプやファンを駆動制御する制御部８が設けてある。循環ポンプとファンは、少なくとも一方を設けていればよい。
【００１９】
上記体毛処理装置３のグリップ部２の側面２ａにおいて、上記所定姿勢に保持したときに保持装置４側を向く部分には、給電用の体毛処理装置側端子２５を露出させて設けている。この体毛処理装置側端子２５は、グリップ部２の側面２ａに対して面一に形成しており、グリップ部２内の制御部８と接続させて設けている。
【００２０】
また、上記保持装置４には、上記体毛処理装置３を所定姿勢で保持させた際に上記体毛処理装置３側に突出するように保持装置側端子２６を設けている。具体的には、図示のようなシーソー機構を用いた手動突出手段２０を備えている。この手動突出手段２０は、保持装置４内に揺動自在に設置されるシーソー部材２１と、シーソー部材２１の一端側と保持装置側端子２６とを連結させるバネ部材２２と、保持装置４に備えた突没スイッチ２３をシーソー部材２１の他端側に連結させるバネ部材２４とから成る。
【００２１】
上記構成の本例の給電システムによれば、体毛処理装置３をヘッド部１が処理槽５内に挿入された所定姿勢に保持し、更に手動突出手段２０の突没スイッチ２３を押下してシーソー部材２１を回動させることで、保持装置側端子２６が体毛処理装置３側に向けて突出する。そして、体毛処理装置３側に設けた平坦な体毛処理装置側端子２５に対して保持装置側端子２６が十分な接触圧を伴って圧接することで、体毛処理装置３に対して確実に給電可能な状態となる。
【００２２】
また、体毛処理装置３を所定姿勢にセットしようとする際や、或いは所定姿勢から取り外そうとする際には、保持装置側端子２６を没入した状態に切り替えることができる。したがって、保持装置側端子２６が体毛処理装置３のヘッド部１に当たって破損等することが防止される。加えて、体毛処理装置側端子２５は平坦であることから、グリップ部２を把持する手に体毛処理装置側端子２５が当たって操作性を損なうことや、デザイン性が低下することや、汗や油の付着によって体毛処理装置側端子２５の錆や腐食が進行するということや、体毛処理装置側端子２５が破損するといったことが防止される。なお、体毛処理装置側端子２５をグリップ部２の側面２ａに対して面一でなく凹状に設けても構わない。
【００２３】
次に、本発明の実施形態における第２例の給電システムについて、図２に基づいて説明する。なお、本例の構成のうち上記した第１例と同様の構成については詳しい説明を省略し、第１例とは相違する特徴的な構成についてのみ以下に詳述する。
【００２４】
本例の保持装置４においては、手動突出手段２０を、図示のようなスライド機構を用いて形成している。この手動突出手段２０は、保持装置側端子２６を一端側開口３０ａから突没自在に備えたスライド孔３０と、スライド孔３０の他端側開口３０ｂに配置した突没スイッチ３１と、突没スイッチ３１と保持装置側端子２６を連結させるバネ部材３２とから成る。
【００２５】
上記構成の本例の給電システムによれば、体毛処理装置３を所定姿勢に保持し、更に手動突出手段２０の突没スイッチ３１を押し込むことで、保持装置側端子２６を体毛処理装置３側に向けて突出させることができる。そして、体毛処理装置３側に設けた平坦な体毛処理装置側端子２５に対して保持装置側端子２６が十分な接触圧を伴って圧接することで、体毛処理装置３に対して確実に給電可能な状態となる。
【００２６】
次に、本発明の実施形態における第３例の給電システムについて、図３に基づいて説明する。なお、本例の構成のうち上記した第１例と同様の構成については詳しい説明を省略し、第１例とは相違する特徴的な構成についてのみ以下に詳述する。
【００２７】
本例の保持装置４においては、体毛処理装置３を所定姿勢で保持させることに連動して自動的に体毛処理装置側端子２５を突出させる自動突出手段４０を設けている。この自動突出手段４０はシーソー機構を用いた連動機構３５であって、保持装置４内に揺動自在に設置されるシーソー部材４１と、シーソー部材４１の保持装置側端子２６に連結する一端側を没入方向に付勢するバネ部材４２と、シーソー部材２１の他端側に連結させる受け部材４３とから成る。受け部材４３は、体毛処理装置３を所定姿勢にセットする際に該体毛処理装置３によって押し込まれるように設けている。
【００２８】
上記構成の本例の給電システムによれば、体毛処理装置３を保持装置４に挿入して所定姿勢にセットすると、体毛処理装置３の重量を受けた受け部材４３はシーソー部材２１を回動させ、保持装置側端子２６を体毛処理装置３側に向けて突出させる。そして、体毛処理装置３側に設けた平坦な体毛処理装置側端子２５に対して保持装置側端子２６が十分な接触圧を伴って圧接することで、体毛処理装置３に対して確実に給電可能な状態となる。
【００２９】
次に、本発明の実施形態における第４例の給電システムについて、図４に基づいて説明する。なお、本例の構成のうち上記した第３例と同様の構成については詳しい説明を省略し、第３例とは相違する特徴的な構成についてのみ以下に詳述する。
【００３０】
本例の保持装置４においては、体毛処理装置３を所定姿勢に保持させるための手段として、保持装置４と体毛処理装置３の対向箇所に磁石４５と鉄板である磁性部材４６とを配置している。したがって、体毛処理装置３を保持装置４に挿入して所定姿勢にセットすると、体毛処理装置３はその重量および磁力の作用によって受け部材４３を強く押し込み、保持装置側端子２６を確実に突出させる。
【００３１】
次に、本発明の実施形態における第５例の給電システムについて、図５に基づいて説明する。なお、本例の構成のうち上記した第３例と同様の構成については詳しい説明を省略し、第３例とは相違する特徴的な構成についてのみ以下に詳述する。
【００３２】
本例の保持装置４においては、連動機構３５として、第３例のようなシーソー機構を用いるのではなく、図示のようなクランク機構を用いている。このクランク機構は、体毛処理装置３を所定姿勢にセットする際に該体毛処理装置３に押し込まれる受け部材５０と、受け部材５０の押し込み動作を回転動作に変換するクランク部５１と、クランク部５１と保持装置側端子２６を連結させるアーム５２とから成る。
【００３３】
上記構成の本例の給電システムによれば、体毛処理装置３を保持装置４に挿入して所定姿勢にセットすると、体毛処理装置３の重量を受けた受け部材５０はクランク部５１を動作させ、アーム５２を介して保持装置側端子２６を体毛処理装置３側に向けて突出させる。そして、体毛処理装置３側に設けた平坦な体毛処理装置側端子２５に対して保持装置側端子２６が十分な接触圧を伴って圧接することで、体毛処理装置３に対して確実に給電可能な状態となる。
【００３４】
次に、本発明の実施形態における第６例の給電システムについて、図６に基づいて説明する。なお、本例の構成のうち上記した第３例と同様の構成については詳しい説明を省略し、第３例とは相違する特徴的な構成についてのみ以下に詳述する。
【００３５】
本例の保持装置４においては、自動突出手段４０として、第３例のように体毛処理装置３が押し当たることで保持装置側端子２６を突出させるように作動する連動機構３５を用いるのではなく、体毛処理装置３が所定位置に保持されたことを検知するセンサ部５５と、体毛処理装置３が所定位置に保持されたことをセンサ部５５が検知すると保持装置側端子２６を突出させるように動作する駆動装置５６とを用いて、自動突出手段４０を形成している。
【００３６】
図示のように、体毛処理装置３には検知用の素子５７を配置しており、この素子５７が近接したことを検知することにより、センサ部５５は体毛処理装置３が所定位置に保持されたことを検知して、保持装置４内の制御部８に信号を送信する。信号を受けた制御部８は、ソレノイド５８から成る上記駆動装置５６を駆動させ、ソレノイド５８のプランジャ５９に接続させた保持装置側端子２６を突出させる。
【００３７】
上記構成の本例の給電システムによれば、体毛処理装置３を保持装置４に挿入して所定姿勢にセットすると、これを検知したセンサ部５５の検知信号を受けた制御部８がソレノイド５８のプランジャ５９を突出させ、保持装置側端子２６を体毛処理装置３側に向けて突出させる。そして、体毛処理装置３側に設けた平坦な体毛処理装置側端子２５に対して保持装置側端子２６が十分な接触圧を伴って圧接することで、体毛処理装置３に対して確実に給電可能な状態となる。
【００３８】
次に、本発明の実施形態における第７例の給電システムについて、図７に基づいて説明する。なお、本例の構成のうち上記した第６例と同様の構成については詳しい説明を省略し、第６例とは相違する特徴的な構成についてのみ以下に詳述する。
【００３９】
本例の保持装置４においては、体毛処理装置３を所定姿勢にセットする際に該体毛処理装置３に押し込まれる受け部材６０と、受け部材６０の押し込みにより回路がオンとなってソレノイド５８を動作させる駆動回路部６１を用いて、体毛処理装置３が所定位置に保持されたことを検知するセンサ部５５を形成している。つまり、体毛処理装置３を保持装置４に挿入して所定姿勢にセットすると、体毛処理装置３の重量を受けた受け部材６０は駆動回路部６１の駆動回路をオンにし、これによりソレノイド５８のプランジャ５９に接続した保持装置側端子２６を突出させる。
【００４０】
そして、体毛処理装置３側に設けた平坦な体毛処理装置側端子２５に対して保持装置側端子２６が十分な接触圧を伴って圧接することで、体毛処理装置３に対して確実に給電可能な状態となる。
【図面の簡単な説明】
【００４１】
【図１】本発明の実施形態における第１例の給電システムの概略図である。
【図２】本発明の実施形態における第２例の給電システムの概略図である。
【図３】本発明の実施形態における第３例の給電システムの概略図である。
【図４】本発明の実施形態における第４例の給電システムの概略図である。
【図５】本発明の実施形態における第５例の給電システムの概略図である。
【図６】本発明の実施形態における第６例の給電システムの概略図である。
【図７】本発明の実施形態における第７例の給電システムの概略図である。
【符号の説明】
【００４２】
３  体毛処理装置
４  保持装置
２０  手動突出手段
２５  体毛処理装置側端子
２６  保持装置側端子
３５  連動機構
４０  自動突出手段
５５  センサ部
５６  駆動装置
【図１】
2009261628.tif 000003
【図２】
2009261628.tif 000004
【図３】
2009261628.tif 000005
【図４】
2009261628.tif 000006
【図５】
2009261628.tif 000007
【図６】
2009261628.tif 000008
【図７】
2009261628.tif 000009